(57)【要約】【課題】点検時に、洗浄槽を筐体から簡単かつ容易に分離できるようにする。【解決手段】洗浄槽１内に洗浄水を供給する給水管１１と、前記洗浄槽内の洗浄水を排出する排水管１２と、洗浄水を加圧する洗浄ポンプ７と、前記洗浄ポンプで加圧された洗浄水を前記洗浄槽内に噴射する洗浄ノズル４と、前記洗浄ポンプの駆動を制御する制御手段１５と、前記制御手段に電源を供給する電線１７と、前記給水管、排水管、電線の少なくとも１つを前記洗浄槽の背部に脱着可能に接続した接続部１３、１８とを備え、前記洗浄槽は、前記接続部が前記筐体の前方開口部より外方へ位置するように引き出し可能に設けたものである。【選択図】図１
2010178878.tif 000002
【特許請求の範囲】
【請求項１】
上方を開口し被洗浄物を収容する洗浄槽と、前記洗浄槽を前方開口部より水平方向へ引き出し可能に収納する筐体と、前記洗浄槽を摺動自在に支持するレールと、前記洗浄槽内に洗浄水を供給する給水管と、前記洗浄槽内の洗浄水を排出する排水管と、洗浄水を加圧する洗浄ポンプと、前記洗浄ポンプで加圧された洗浄水を前記洗浄槽内に噴射する洗浄ノズルと、前記洗浄ポンプの駆動を制御する制御手段と、前記制御手段に電源を供給する電線と、前記給水管、排水管、電線の少なくとも１つを前記洗浄槽の背部に脱着可能に接続した接続部とを備え、前記洗浄槽は、前記接続部が前記筐体の前方開口部より外方へ位置するように引き出し可能に設けた食器洗い機。
【請求項２】
洗浄槽は、被洗浄物を出し入れする第１の引き出し位置と、接続部を筐体の前方開口部より外方へ位置する第２の引き出し位置とに引き出し可能に設けた請求項１記載の食器洗い機。
【請求項３】
洗浄槽は、第１の引き出し位置に保持するロック手段を有し、前記ロック手段の解除時に第２の引き出し位置へ引き出し可能に設けた請求項１または２記載の食器洗い機。
【請求項４】
洗浄槽は、第２の引き出し位置へ引き出したときに前記洗浄槽を支持する支持脚を設けた請求項１〜３のいずれか１項に記載の食器洗い機。
【請求項５】
支持脚は、接続部を外して洗浄槽を筐体の前方開口部より取り出したとき、前記洗浄槽を支持するようにした請求項４記載の食器洗い機。
【請求項６】
支持脚は、洗浄槽の外底部に格納自在に設けた請求項４または５記載の食器洗い機。
【発明の詳細な説明】
【技術分野】
【０００１】
本発明は、食器を洗浄する食器洗い機に関するものである。
【背景技術】
【０００２】
従来、この種の食器洗い機は、図７に示すように構成していた。以下、その構成について説明する。図７に示すように、洗浄槽５１は、筐体５２から前後方向に収納自在に移動し、洗浄槽５１と筐体５２との電源および各配線５３の接続部５４は、筐体５２の背面部の内側に不燃性の袋に束ねて収納し配設している。また、給水ホース５５および排水ホース５６の接続部５７は、前記洗浄槽５１の外側背面に設けている。
【０００３】
洗浄槽５１内の底部に洗浄水を噴射する洗浄ノズル５８を回転自在に設けるとともに、洗浄ノズル５８の上方に食器等の被洗浄物５９を収容する食器かご６０を配置している。洗浄槽５１内の洗浄水は、ヒータ６１で加熱して温水化され、洗浄ポンプ６２にて残滓フィルター６３を通して排水口６４から吸い込まれて洗浄ノズル５８に圧送される。洗浄ポンプ６２で加圧された洗浄水は、洗浄ノズル５８から洗浄槽５１内へ勢いよく噴射されて、食器かご６０に配置収容された食器５９を洗浄するように構成している（例えば、特許文献１参照）。
【特許文献１】特開２００４−２１５９０１号公報
【発明の開示】
【発明が解決しようとする課題】
【０００４】
しかしながら、このような従来の食器洗い機では、洗浄槽５１と筐体５２との電源および各配線５３の接続部５４が筐体５２の背面部の内側に設けられているため、点検時に洗浄槽５１を筐体５２から引き出して分離することができないものであった。そのために、点検等の作業をおこなうために接続部５４を分離するためには、筐体５２を分解する必要があり、洗浄槽５１を筐体５２に格納した状態で、洗浄槽５１を筐体５２ごと装着されているシステムキッキンから取り出す必要があるため、点検、修理時の準備と後始末に労力と時間がかかるという問題を有していた。
【０００５】
本発明は、前記従来の課題を解決するもので、点検時の作業を効率よくおこなえるように、洗浄槽を筐体から簡単かつ容易に分離できるようにした食器洗い機を提供することを目的としている。
【課題を解決するための手段】
【０００６】
前記従来の課題を解決するために、本発明の食器洗い機は、洗浄槽内に洗浄水を供給する給水管と、前記洗浄槽内の洗浄水を排出する排水管と、洗浄水を加圧する洗浄ポンプと、前記洗浄ポンプで加圧された洗浄水を前記洗浄槽内に噴射する洗浄ノズルと、前記洗浄ポンプの駆動を制御する制御手段と、前記制御手段に電源を供給する電線と、前記給水管、排水管、電線の少なくとも１つを前記洗浄槽の背部に脱着可能に接続した接続部とを備え、前記洗浄槽は、前記接続部が前記筐体の前方開口部より外方へ位置するように引き出し可能に設けたものである。
【０００７】
これによって、点検時は、接続部が筐体の前方開口部より外方へ位置するように洗浄槽を引き出すことができるので、筐体を装着されているシステムキッキンから取り外すことなく、簡単かつ容易に洗浄槽を筐体から分離することができ、点検作業を効率よくおこなうことができる。
【発明の効果】
【０００８】
本発明の食器洗い機は、点検時に筐体をシステムキッキンから取り外すことなく、簡単かつ容易に洗浄槽を筐体から分離することができ、点検作業を効率よくおこなうことができる。
【発明を実施するための最良の形態】
【０００９】
第１の発明は、上方を開口し被洗浄物を収容する洗浄槽と、前記洗浄槽を前方開口部より水平方向へ引き出し可能に収納する筐体と、前記洗浄槽を摺動自在に支持するレールと、前記洗浄槽内に洗浄水を供給する給水管と、前記洗浄槽内の洗浄水を排出する排水管と、洗浄水を加圧する洗浄ポンプと、前記洗浄ポンプで加圧された洗浄水を前記洗浄槽内に噴射する洗浄ノズルと、前記洗浄ポンプの駆動を制御する制御手段と、前記制御手段に電源を供給する電線と、前記給水管、排水管、電線の少なくとも１つを前記洗浄槽の背部に脱着可能に接続した接続部とを備え、前記洗浄槽は、前記接続部が前記筐体の前方開口部より外方へ位置するように引き出し可能に設けたことにより、点検時には、接続部を筐体の前方開口部より外方へ位置させて、接続部の切り離しと接続作業ができるようになり、洗浄槽を簡単かつ容易に筐体から分離することができ、筐体をシステムキッキンから取り外すことなく、点検作業を効率よくおこなうことができる。
【００１０】
第２の発明は、特に、第１の発明の洗浄槽は、被洗浄物を出し入れする第１の引き出し位置と、接続部を筐体の前方開口部より外方へ位置する第２の引き出し位置とに引き出し可能に設けたことにより、洗浄槽への食器のセットと洗浄槽から食器を取り出すときに、筐体の前方開口部と筐体から引き出された状態の洗浄槽との間に大きな隙間が生じることがなく、誤って洗浄槽の背部に設けられている接続部に触れるのを防止することができるとともに、上記隙間から誤って筐体内へ食器等を落とすこともなくなる。
【００１１】
第３の発明は、特に、第１または第２の発明の洗浄槽は、第１の引き出し位置に保持するロック手段を有し、前記ロック手段の解除時に第２の引き出し位置へ引き出し可能に設けたことにより、通常の使用時に第２の引き出し位置へ引き出されるのを防止するとともに、点検時には、ロック手段の解除により、接続部を筐体の前方開口部より外方へ位置させて、接続部の切り離しと接続作業ができるようになり、洗浄槽を簡単かつ容易に筐体から分離することができる。
【００１２】
第４の発明は、特に、第１〜第３のいずれか１つの発明の洗浄槽は、第２の引き出し位置へ引き出したときに前記洗浄槽を支持する支持脚を設けたことにより、洗浄槽を筐体から引き出した状態とほぼ同じ高さを維持するように支持することができ、接続部の分離および接続作業を容易におこなうことができるとともに、洗浄槽を摺動自在に設けたレールに偏加重がかかるのを防止することができる。
【００１３】
第５の発明は、特に、第４の発明の支持脚は、接続部を外して洗浄槽を筐体の前方開口部より取り出したとき、前記洗浄槽を支持するようにしたことにより、洗浄槽を筐体から分離した状態で支持することができ、洗浄槽が床面から所定の高さに支持されるので、点検作業と、点検後の筐体へ取り付けるレールへの装着を容易におこなうことができる。
【００１４】
第６の発明は、特に、第４または第５の発明の支持脚は、洗浄槽の外底部に格納自在に設けたことにより、支持脚を洗浄槽とともに筐体内に格納することができ、通常の使用時は、洗浄槽の外底部に格納した状態で使用することができる。
【００１５】
以下、本発明の実施の形態について、図面を参照しながら説明する。なお、本実施の形態によって本発明が限定されるものではない。また、食器洗い機の全体構成は、図７に示した従来例と同じであり、同じ構成のものは同一符号を付して説明を省略する。
【００１６】
（実施の形態１）
図１および図２は、本発明の第１実施の形態における食器洗い機の洗浄槽を筐体から引き出した状態の縦断面図である。図１および図２において、上方に開口部１ａを有する洗浄槽１と、洗浄槽１を前後方向へ引き出し、収納を自在とする筐体２を備えており、筐体２の前面には、洗浄槽１を出し入れする前方開口部２ａを設けてあり、システムキッチンＡ内に装着している。開口部１ａは、筐体２内に設けた蓋体３により開閉され、洗浄槽１を筐体２内から手前に引き出すときは上方へ変位し、蓋体３が開口部１ａの上面から離れた状態で引き出される。
【００１７】
洗浄槽１を筐体２内へ格納すると、上方へ変位していた蓋体３が下方へ変位し、蓋体３で開口部１ａが閉じられる。蓋体３の下面側には開口部１ａの周縁に密着するパッキン３ａが設けてあり、洗浄水および乾燥用空気が漏れないようにシールしている。洗浄槽１内の底部には、洗浄槽１内に洗浄水を噴射する洗浄ノズル４を回転自在に設けるとともに、洗浄ノズル４の上方に食器５等の被洗浄物を収容する食器かご６を配置している。
【００１８】
洗浄槽１外の背面部には洗浄ポンプ７が取り付けられており、ヒータ８によって加熱され所定の温度に温水化された洗浄槽１内の洗浄水を加圧する。洗浄ポンプ７により加圧された洗浄水は、残滓フィルター９を通して排水口１０から吸い込まれ、洗浄ノズル４に圧送されて洗浄槽１内に勢いよく噴射される。
【００１９】
洗浄槽１内に洗浄水を供給する給水管１１は、その一端が洗浄槽１の背面部に給水弁（図示せず）を介して接続され、他端は、筐体２を経て水道と接続している。洗浄槽１内に洗浄水を排出する排水管１２は、その一端が排水トラップ１２ａを介して排水ポンプ兼用の洗浄ポンプ７に接続され、他端は、筐体２を経て排水経路（図示せず）に繋がれている。
【００２０】
給水管１１および排水管１２は、洗浄槽１外の背面部で着脱自在な接続部１３で接続されており、ホルダー１４により筐体２内の背面部で回動自在に保持している。ホルダー１４は、洗浄槽１の前後方向移動に連動して水平方向へ回動する。洗浄槽１が筐体２内に格納されているときは、給水管１１および排水管１２はホルダー１４に保持され、屈曲した状態でコンパクトに折たたまれ、格納された洗浄槽１の背面部と筐体２の背面部との間に位置している。洗浄槽１を前方向（矢印イ方向）に引き出すと、給水管１１および排水管１２は、洗浄槽１の背面部に設けた接続部１３で接続された状態でホルダー１４に保持され、屈曲した状態から図１および図２のように引き延ばされる。
【００２１】
制御手段１５は、洗浄槽１を引き出す前面の扉１６の内部に設けてあり、電源および各配線１７の接続部１８はコネクターにより着脱自在に接続し、不燃性の袋に束ねて収納し洗浄槽１外の背面部に固定保持している。電源および各配線１７（電線）の接続部１８と、給水管１１および排水管１２の接続部１３は、洗浄槽１の外側背面に近接して配置している。
【００２２】
筐体２の内側面には相対向する位置に１組のレールガイド１９が設けてあり、洗浄槽１の下方に設けた１組のレール２０がレールガイド１９に摺動し、筐体２に対して洗浄槽１が前後方向へ引き出し自在に構成している。レールは、レールガイド１９とレール２０で構成している。
【００２３】
通常の使用時は、洗浄槽１は図２の位置まで引き出すことができ、洗浄槽１の背面部は、筐体２の前方開口部２ａより内方にある。したがって、給水管１１および排水管１２の接続部１３と、電源および各配線１７の接続部１８も、筐体２の前方開口部２ａより内方
に位置した状態で食器５のセットと取り出しができる。
【００２４】
レール１９には、ロック手段としての固定ねじ２１が設けてあり、この固定ねじ２１を外すと、洗浄槽１は図２の位置から、さらに矢印イ方向へ図１の位置まで引き出すことができ、洗浄槽１の背面部を筐体２の前方開口部２ａから外方に露出する位置に保持することができる。したがって、給水管１１および排水管１２の接続部１３と、電源および各配線１７の接続部１８も、筐体２の前方開口部２ａより外方へ露出させた状態で、接続部１３および１８の着脱作業を容易におこなうことができる。
【００２５】
以上のように本発明によれば、点検時には、接続部１３および１８を筐体２の前方開口部２ａより外方へ位置させて、接続部１３および１８の切り離しと接続作業ができるようになり、洗浄槽１を簡単かつ容易に筐体２から分離することができ、筐体２をシステムキッキンから取り外すことなく、点検作業を効率よくおこなうことができる。
【００２６】
また、洗浄槽１は、食器５を出し入れするときに、接続部１３および１８が筐体２の前方開口部２ａより内方に位置する第１の引き出し位置と、点検時に接続部１３および１８を筐体２の前方開口部２ａより外方へ位置する第２の引き出し位置とに引き出し可能に設けている。したがって、洗浄槽１への食器５のセットと洗浄槽１から食器５を取り出すときに、筐体２の前方開口部２ａと筐体２から引き出された状態の洗浄槽１との間に大きな隙間が生じることがなく、誤って洗浄槽１の背部に設けられている接続部１３および１８に触れるのを防止することができるとともに、上記隙間から誤って筐体２内へ食器５等を落とすこともなくなる。
【００２７】
また、洗浄槽１は、ロック手段２１の解除時に第２の引き出し位置へ引き出すことができるので、通常の使用時に第２の引き出し位置へ引き出されるのを防止するとともに、点検時には、ロック手段２１の解除により、接続部１３および１８を筐体２の前方開口部２ａより外方へ位置させて、接続部１３および１８の切り離しと接続作業ができるようになり、洗浄槽１を簡単かつ容易に筐体２から分離することができる。
【００２８】
（実施の形態２）
図３は、本発明の第２の実施の形態における食器洗い機の洗浄槽を筐体から引き出した状態の縦断面図、図４は、同洗浄槽の下面図である。図３および図４において、洗浄槽１は、点検時に洗浄槽１を前方向へ引き出した時、給水管１１および排水管１２の接続部１３と、電源および各配線１７の接続部１８を、筐体２の前方開口部２ａより外方に位置させた状態で洗浄槽１を支持する支持脚２２を回動自在に設けたものである。他の構成は第１の実施の形態と同様であり、同一の構成要素については同一の符号を付して、その詳細な説明は第１の実施の形態のものを援用する。
【００２９】
支持脚２２は、洗浄槽１の下方に折たたみ自在に設けてあり、矢印ロ方向に回動可能であり、不使用時は、洗浄槽１の下方に設けた底カバー２３内に格納し、洗浄槽１とともに筐体２内に収納することができる。
【００３０】
上記構成により、洗浄槽１を筐体２から引き出した状態とほぼ同じ高さを維持するように支持することができ、接続部１３および１８の分離および接続作業を容易におこなうことができるとともに、洗浄槽１を摺動自在に設けたレール１９、２０に偏加重がかかるのを防止することができる。
【００３１】
（実施の形態３）
図５は、本発明の第３の実施の形態における食器洗い機の洗浄槽を筐体から分離した状態の縦断面図、図６は、同洗浄槽の下面図である。図５および図６において、点検時に洗
浄槽１を筐体２から前方向へ引き出して給水管１１および排水管１２の接続部１３と、電源および各配線１７の接続部１８を外し、洗浄槽１を筐体２から分離した状態で洗浄槽１を支持する支持脚２２を設けたものである。他の構成は第１および第２の実施の形態と同様であり、同一の構成要素については同一の符号を付して、その詳細な説明は第１および第２の実施の形態のものを援用する。
【００３２】
支持脚２２は、洗浄槽１を筐体２から分離した状態で支持することができるとともに、洗浄槽１が支持される床面からの高さは、洗浄槽１のレール２０が筐体２のレールガイド１９に嵌合可能な高さである。
【００３３】
上記構成により、点検作業と、点検後に洗浄槽１を筐体２へ取り付けるレールガイド１９への装着を容易におこなうことができる。また、支持脚２２を洗浄槽１とともに筐体２内に格納することができ、通常の使用時は、洗浄槽１の外底部に格納した状態で使用することができ、洗浄槽１を筐体２内へ容易に収納することができる。
【００３４】
なお、本発明の実施の形態は、各々単独で実施可能であるほか、各実施の形態を併せて実施してもよく、他の実施の形態に記載した一部の構成を組み合わせ実施することができる。
【産業上の利用可能性】
【００３５】
以上のように、本発明にかかる食器洗い機は、点検時に筐体をシステムキッキンから取り外すことなく、簡単かつ容易に洗浄槽を筐体から分離することができ、点検作業を効率よくおこなうことができるので、システムキッキン等に内蔵した食器洗い機として有用である。
【図面の簡単な説明】
【００３６】
【図１】本発明の実施の形態１の食器洗い機の洗浄槽を点検時の位置に引き出した状態の縦断面図
【図２】同食器洗い機の洗浄槽を通常の使用位置へ引き出した状態の縦断面図
【図３】本発明の実施の形態２の食器洗い機の洗浄槽を点検時の位置に引き出した状態の縦断面図
【図４】同食器洗い機の洗浄槽の下面図
【図５】本発明の実施の形態３の食器洗い機の洗浄槽を点検時の位置に引き出した状態の縦断面図
【図６】同食器洗い機の洗浄槽の下面図
【図７】従来の食器洗い機の縦断面図
【符号の説明】
【００３７】
１  洗浄槽
２  筐体
２ａ  前方開口部
４  洗浄ノズル
７  洗浄ポンプ
１１  給水管
１２  排水管
１３  接続部
１５  制御手段
１７  電源および各配線（電線）
１８  接続部
１９  レールガイド（レール）
２０  レール
２１  固定ねじ（ロック手段）
２２  支持脚
【図１】
2010178878.tif 000003
【図２】
2010178878.tif 000004
【図３】
2010178878.tif 000005
【図４】
2010178878.tif 000006
【図５】
2010178878.tif 000007
【図６】
2010178878.tif 000008
【図７】
2010178878.tif 000009